(57)【特許請求の範囲】
【請求項１】
孔（１ａ）を有する筐体（３）、前記孔（１ａ）を貫通しており、前記筐体（３）の内部に更に進入することが可能である筒状の解除部材（２１）、及び前記筐体（３）内に設けられた係合機構（２０）を具備するタグ本体（１）と、前記解除部材（２１）を貫通して前記筐体（３）の内部へ挿入され、前記係合機構（２０）と係合する係合部（２ｂ）を有する挿入ピン（２ａ）とを備え、前記挿入ピン（２ａ）を前記筐体（３）の内部へ挿入し、前記係合部（２ｂ）と前記係合機構（２０）とが係合した状態で、前記解除部材（２１）が前記筐体（３）の内部へ更に進入したときに、前記係合部（２ｂ）と前記係合機構（２０）との係合を解除すべくなしてある盗難防止タグにおいて、
前記タグ本体（１）は、前記解除部材（２１）を前記挿入ピン（２ａ）の挿入方向に対する周方向の一方に付勢する付勢部材（２２）と、前記解除部材（２１）が前記付勢部材（２２）の付勢によって前記周方向の第１位置に静止しているときに、前記解除部材（２１）が前記筐体（３）の内部へ更に進入することを阻止し、前記解除部材（２１）が前記付勢部材（２２）の付勢に反して、前記第１位置とは異なる第２位置まで回転されたときに、前記解除部材（２１）が前記筐体（３）の内部へ更に進入することを可能とする進入制限機構（３０）とを具備することを特徴とする盗難防止タグ。
【請求項２】
孔（１ａ）を有する筐体（３）、前記孔（１ａ）を貫通しており、前記筐体（３）の内部に更に進入することが可能である筒状の解除部材（２１）、及び前記筐体（３）内に設けられた係合爪（２０ａ）を具備するタグ本体（１）と、前記解除部材（２１）を貫通して前記筐体（３）の内部へ挿入され、前記係合爪（２０ａ）と係合する環状溝（２ｂ）を有する挿入ピン（２ａ）とを備え、前記挿入ピン（２ａ）を前記筐体（３）の内部へ挿入し、前記環状溝（２ｂ）と前記係合爪（２０ａ）とが係合した状態で、前記解除部材（２１）が前記筐体（３）の内部へ更に進入したときに、前記解除部材（２１）の先端が前記係合爪（２０ａ）を押動し、前記環状溝（２ｂ）と前記係合爪（２０ａ）との係合を解除すべくなしてある盗難防止タグにおいて、
前記タグ本体（１）は、前記解除部材（２１）を前記挿入ピン（２ａ）の挿入方向に対する周方向の一方に付勢する付勢部材（２２）を具備し、前記解除部材（２１）は、前記筐体（３）の外側の端部側面に突出片（２１ｃ）を有し、前記筐体（３）は、前記孔（１ａ）の周囲に前記筐体（３）の外部へ突出する環状の突出部（１ｃ）を有し、該突出部（１ｃ）には、前記解除部材（２１）が前記付勢部材（２２）の付勢に反する方向に回転されたとき、前記突出片（２１ｃ）が係合し、前記解除部材（２１）が前記筐体（３）の内部へ更に進入することを可能とする切欠（１ｅ）が設けられていることを特徴とする盗難防止タグ。
【発明の詳細な説明】
【０００１】
【発明の属する技術分野】
本発明は、衣料品及び履物等の対象物に取り付けられ、対象物の盗難を防止すべく自ら警報を発する自鳴式の盗難防止タグに関する。
【０００２】
【従来の技術】
販売店に陳列してある商品の盗難防止のために、所定の盗難防止信号を受信したときに発報する盗難防止タグを前記商品に取付け、販売店の出口付近に前記盗難防止信号を発信する発信器を設けた盗難防止システムがある。このような盗難防止システムでは、係員が盗難防止タグを取り外していない商品を出口を通って外に持ち出そうとした場合、前記発信器が発信している前記盗難防止信号を盗難防止タグが受信し、盗難防止タグに備えられた警報器が発報する。
【０００３】
このような盗難防止タグの１つとして、特開平８−２１３１０１号公報にワイヤ式の盗難防止タグが開示されている。図９は、この種の盗難防止タグの使用状態を示す説明図であり、図１０は、この種の盗難防止タグの外観を示す斜視図である。図９，１０において、９４は絶縁材で被覆したフレキシブル導体の両端に導電性のピン状部材の挿入ピンを有してなるワイヤである。前記挿入ピンの先端近傍には、環状の溝が周設してある。角箱型のタグ本体９２の一端面には、前記ワイヤ９４の挿入ピンを差し込む２つの差込み孔９２ａ，９２ｂが開設してあり、両差込み孔９２ａ，９２ｂの内部には、前述した溝に係合して両挿入ピンをロックするロック機構が設けてある。
【０００４】
差込み孔９２ａは、差込み孔９２ｂより大きい孔であり、円筒状の解除部材９３が差込み孔９２ａを貫通する状態で配されている。この解除部材９３は、タグ本体９２から突出するように、タグ本体９２の内側から付勢されており、ユーザが解除部材９３をタグ本体９２に押し込むことができるようになっている。また、解除部材９３には、ワイヤ９４の挿入ピンを挿入することができる挿入孔が設けられている。
【０００５】
このような盗難防止タグ９１を対象物Ｔに取り付ける場合には、上着及びシャツのボタン孔又は衣類の襟元に設けたタグ等、対象物Ｔの取り付け部位に挿通したワイヤ９４の挿入ピンの一方を、前記解除部材９３の挿入孔に挿入し、前記溝がロック機構に係合するまで差し込んでこの挿入ピンをロックし、また他方の挿入ピンを差込み孔９２ｂに同様に差し込んでロックすることにより、取り付けが達成される。
【０００６】
そして、タグ本体９２は、発信器から発信される信号を受信するアンテナ、ブザー及びバッテリ等を内蔵している。発信器は、盗難防止タグ９１が受信し得る強度の盗難防止信号を所定の領域内へ発信するようになしてあり、出入口に例えばゲート型の発信器を配設しておくことによって、盗難防止タグ９１を取付けた対象物Ｔが発信器に接近して、タグ本体が発信器から発信された盗難防止信号を受信した場合、タグ本体はブザーを動作させて警報音を発し、対象物Ｔの盗難を防止する。
【０００７】
また、ワイヤ９４は常閉接点として機能しており、盗難防止タグ９１を対象物Ｔから取り除くべく、ワイヤ９４をタグ本体から抜出した場合、又はワイヤ９４を切断した場合、タグ本体はそれを検出し、ブザーを動作させて警報音を発する。
【０００８】
また、タグ本体９２が、前記盗難防止信号とは異なるリセット信号を受信したときには、タグ本体９２が盗難防止信号を受信した場合、ワイヤ９４をタグ本体９２から抜き出した場合、又はワイヤ９４を切断した場合であっても、ブザーを作動させない休止状態へ移行するようになっている。
【０００９】
このような盗難防止タグ９１を対象物Ｔから取り外す場合には、発信器からリセット信号を発信し、タグ本体９２を休止状態へと移行させ、解除部材９３をタグ本体９２の内側に押し込み、ワイヤ９４の一方の挿入ピンとロック機構との係合を解除し、この挿入ピンをタグ本体９４から抜き出す。このようにして盗難防止タグ９１を対象物Ｔから取り外すことができる。
【００１０】
【発明が解決しようとする課題】
しかしながら、上述の如き従来の盗難防止タグにあっては、解除部材９３をタグ本体９２の内側に押し込むだけで、容易にワイヤ９４とロック機構との係合が解除されるため、客が誤ってワイヤ９４とロック機構との係合を解除し、警報を発する虞があるという問題があった。
【００１１】
本発明はかかる事情に鑑みてなされたものであって、付勢部材によって解除部材を挿入孔の周方向の一方に付勢しておき、解除部材に外部から前記周方向の力を加えていない状態のときには、解除部材のタグ本体の内部への進入を阻止して、解除部材をタグ本体の内部に押し込むことができないようにし、また、解除部材に外部から力を加え、前記付勢部材の付勢に反して解除部材を前記周方向に回転した状態のときには、解除部材のタグ本体の内部への進入を可能とすることによって、解除部材を付勢部材の付勢に反して回転させながら、タグ本体の内部に押し込んだときにだけ、ワイヤとタグ本体のロック機構との係合を解除するようにし、容易にワイヤと前記ロック機構との係合が解除されることを防止する盗難防止タグを提供することを目的とする。
【００１２】
【課題を解決するための手段】
第１発明に係る盗難防止タグは、孔を有する筐体、前記孔を貫通しており、前記筐体の内部に更に進入することが可能である筒状の解除部材、及び前記筐体内に設けられた係合機構を具備するタグ本体と、前記解除部材を貫通して前記筐体の内部へ挿入され、前記係合機構と係合する係合部を有する挿入ピンとを備え、前記挿入ピンを前記筐体の内部へ挿入し、前記係合部と前記係合機構とが係合した状態で、前記解除部材が前記筐体の内部へ更に進入したときに、前記係合部と前記係合機構との係合を解除すべくなしてある盗難防止タグにおいて、前記タグ本体は、前記解除部材を前記挿入ピンの挿入方向に対する周方向の一方に付勢する付勢部材と、前記解除部材が前記付勢部材の付勢によって前記周方向の第１位置に静止しているときに、前記解除部材が前記筐体の内部へ更に進入することを阻止し、前記解除部材が前記付勢部材の付勢に反して、前記第１位置とは異なる第２位置まで回転されたときに、前記解除部材が前記筐体の内部へ更に進入することを可能とする進入制限機構とを具備することを特徴とする。
【００１３】
第１発明に係る盗難防止タグによる場合は、解除部材が挿入ピンの挿入方向に対する周方向、即ち解除部材に開設された孔の周方向の第１位置にあるときに、解除部材が筐体の内部へ更に進入することを阻止するようにしてあり、解除部材を第２位置まで回転させたときに、解除部材が筐体の内部へ更に進入することを可能としてあることによって、解除部材が前記第２位置に位置するためには、ユーザが解除部材を前記付勢部材の付勢に反して回転させる必要があるので、解除部材を付勢部材の付勢に反して回転させながら、筐体の内部に押し込んだときにだけ、前記係合部と係合機構との係合を解除することができ、容易に係合部と係合機構との係合が解除されない。
【００１４】
第２発明に係る盗難防止タグは、孔を有する筐体、前記孔を貫通しており、前記筐体の内部に更に進入することが可能である筒状の解除部材、及び前記筐体内に設けられた係合爪を具備するタグ本体と、前記解除部材を貫通して前記筐体の内部へ挿入され、前記係合爪と係合する環状溝を有する挿入ピンとを備え、前記挿入ピンを前記筐体の内部へ挿入し、前記環状溝と前記係合爪とが係合した状態で、前記解除部材が前記筐体の内部へ更に進入したときに、前記解除部材の先端が前記係合爪を押動し、前記環状溝と前記係合爪との係合を解除すべくなしてある盗難防止タグにおいて、前記タグ本体は、前記解除部材を前記挿入ピンの挿入方向に対する周方向の一方に付勢する付勢部材を具備し、前記解除部材は、前記筐体の外側の端部側面に突出片を有し、前記筐体は、前記孔の周囲に前記筐体の外部へ突出する環状の突出部を有し、該突出部には、前記解除部材が前記付勢部材の付勢に反する方向に回転されたとき、前記突出片が係合し、前記解除部材が前記筐体の内部へ更に進入することを可能とする切欠が設けられていることを特徴とする。
【００１５】
第２発明に係る盗難防止タグによる場合は、解除部材が挿入ピンの挿入方向に対する周方向の所定位置に位置するときに、解除部材に設けられた突出片が、筐体の突出部の切欠に係合し、解除部材が筐体の内部へ更に進入することが可能としてあり、この他の位置に解除部材が位置するときに、前記突出片が前記突出部に当接して、解除部材が筐体の内部へ更に進入することを阻止するようにしてあるため、前記所定位置に解除部材が位置するときにだけ、解除部材を筐体の内部へ押し込んで、環状溝と係合爪との係合を解除することができるようになっており、また、付勢部材によって解除部材を前記周方向の一方に付勢してあることによって、解除部材が筐体の内部へ更に進入することが可能な所定位置に位置するためには、ユーザが解除部材を前記付勢部材の付勢に反して回転させる必要があるので、解除部材を付勢部材の付勢に反して回転させながら、筐体の内部に押し込んだときにだけ、環状溝と係合爪との係合を解除することができ、容易に環状溝と係合爪との係合が解除されない。
【００１６】
【発明の実施の形態】
以下、本発明の実施の形態を図面に基づいて具体的に説明する。
図１は本発明に係る盗難防止タグの実施の形態の構成を示す外観斜視図であり、図２は図１に示した盗難防止タグの分解斜視図である。本発明に係る盗難防止タグは、箱型のタグ本体１と、絶縁材で被覆したフレキシブル導体からなるワイヤ２とを備えている。上着及びシャツのボタン孔又は衣類の襟元に設けたタグ等、対象物の取り付け部位に前記ワイヤ２を挿通し、後述するワイヤ２の両端に設けられた挿入ピン２ａ，２ａを、タグ本体１の一端面に設けられた差込み孔１ａ，１ｂに夫々差し込むことによって、盗難防止タグを対象物に取り付けることができるようになっている。
【００１７】
タグ本体１の筐体３は、一対の正面側部材３ａ及び背面側部材３ｂを超音波接合することによって形成してある。正面側部材３ａ及び背面側部材３ｂ内には、プリント配線した基板１０、ワイヤ２の挿入ピン２ａ，２ａに係合する係合部材２０，２０、及びボタン電池５が格納されている。
【００１８】
ブザー１３は、ボタン電池５と略同一の直径の円盤状をなしており、ブザー１３とボタン電池５とは、これらの間に、これらと略同一直径の円環状のスペーサ１５を介在させた状態で、円形のカバー部材４に内嵌してある。また、カバー部材４には、ブザー１３の電極に当接するブザー用端子１３ａが取り付けられている。また、ボタン電池５の負極には、これと略同一の直径であり、その円周方向の一部に突出部を有する円盤状の負極端子５ｂが配されている。そして、ボタン電池５の負極側を正面側に、正極側を背面側に配した状態で、正面側部材３ａ及び背面側部材３ｂ内に、カバー部材４、ブザー１３、ブザー用端子１３ａ、スペーサ１５、ボタン電池５、ボタン電池５の正極に当接する正極端子５ａ、及び負極端子５ｂが、一体的に収納されている。
【００１９】
基板１０の背面には、所定周波数の盗難防止信号及びこれとは異なる周波数のリセット信号を受信するための受信機１２、及び受信機１２が受信した盗難防止信号及び係合部材２０，２０間の導通状態に基づいて、ブザー１３による警報音の発生を制御するＩＣ１１等が実装してある。また、基板１０には、係合部材２０，２０と接続する接点１４，１４等が設けてあり、前記ブザー用端子１３ａ、正極端子５ａ、及び負極端子５ｂが接続されている。
【００２０】
図３は、本発明に係る盗難防止タグの拡大正面断面図であり、図４〜図６は、本発明に係る盗難防止タグの正面図、側面図、及び平面図である。図３に示すように、タグ本体１の筐体３の内側には、前記差込み孔１ａ，１ｂの近傍の部分に、係合部材２０，２０が取り付けられている。係合部材２０は、金属板がコ字状に屈曲せしめられた形状をなしており、更に両端部夫々は、前記コ字の内側に折り返された如き形状の係合爪２０ａ，２０ａとなっており、係合部材２０の開口の反対側には、外側へ向けて突出する接続用突起２０ｂが設けられている。このような係合部材２０，２０は、コ字の開口側を差込み孔１ａ，１ｂへ向けて配されており、前記接続用突起２０ｂ，２０ｂが夫々基板１０の接点１４，１４に当接している。
【００２１】
また、タグ本体１は、後述する解除部材２１の筐体３の内部への進入を制限する進入制限機構３０を備えている。進入制限機構３０は、筐体３の平面から突出した円筒状の突出部１ｃ、後述するコイルバネ２２、及び解除部材２１から構成されている。この進入制限機構３０の構成を以下に説明する。一方の差込み孔１ａは、前記突出部１ｃに開設されており、この差込み孔１ａは他方の差込み孔１ｂよりも大きくなっている。また、突出部１ｃの前記差込み孔１ｂと反対側の部分には、略９０゜の範囲で切欠１ｄが設けられており、この切欠１ｄの一端部には、更に筐体３の内側へ欠落した切欠１ｅが設けられている。
【００２２】
そして、差込み孔１ａには、筒状の解除部材２１が貫通してある。この解除部材２１の筐体３の内側の先端部は、テーパ状となっている。また、解除部材２１の筐体３の内側の部分は外側の部分よりも半径が小さくなっており、この境界部が段部２１ａとなっている。更にこの段部２１ａの付近からは、解除部材２１の半径方向に突出する係合突起２１ｂが設けられている。この係合突起２１ｂは、これの長手方向に直行する切断面による断面形状が、一隅部が欠落した四角形状となるように、この係合突起２１ｂの筐体３の内側の角部、即ち、係合突起２１ｂの解除部材２１の先端側の角部に、この係合突起２１ｂの長手方向の全長に亘って設けられた凹部を有している。筐体３には、その半径方向へ突出している突出部２２ａを一端部に有するコイルバネ２２が内蔵されており、前記解除部材２１の段部２１ａに、コイルバネ２２の一端が当接していて、突出部２２ａが前記係合突起２１ｂの凹部に係合している。これによって、解除部材２１を筐体３の外側へ付勢すると同時に、解除部材２１をこれの周方向の一方へ付勢している。
【００２３】
図４、図５、及び図６に示すように、解除部材２１の、筐体３の外部に突出している部分の端部には、平面視略扇状をなす把持用突起２１ｃが突設されている。この把持用突起２１ｃは、前述した突出部１ｃの切欠１ｄに係合しており、切欠１ｄが設けられた範囲で回転可能とされている。解除部材２１が前記コイルバネ２２によって周方向の一方に付勢されていることにより、把持用突起２１ｃは、通常切欠１ｄの一端に当接しており、反対側の端部に前記切欠１ｅが設けられている。切欠１ｅは、把持用突起２１ｃが係合することができる寸法で形成されており、把持用突起２１ｃを切欠１ｅに係合させた状態で、切欠１ｅの奥側の端部に把持用突起２１ｃが当接するまで、解除部材２１を筐体３の内部へ進入させることができるようになっている。
【００２４】
また図２に示すように、解除部材２１には、ワイヤ２の挿入ピン２ａを挿入することが可能な挿入孔２１ｄが設けられている。また、差込み孔１ｂと、一方の係合部材２０との間には、解除部材２１と同様に挿入ピン２ａを挿入することが可能な挿入孔２３ａを有する断面視略四角の筒状の案内部材２３が配されている。この案内部材２３の先端も、解除部材２１と同様にテーパ状となっている。
【００２５】
筐体３の差込み孔１ｂには、これより小さい解除用孔１ｆが連設されており、この解除用孔１ｆにピン状の部材を挿入することができるようになっている。また、図３に示すように、ワイヤ２の挿入ピン２ａ，２ａは導電性のピン状部材であり、これの先端近傍には、環状の溝２ｂ，２ｂが周設されている。
【００２６】
次に、本発明に係る盗難防止タグの動作を説明する。図７は、本発明に係る盗難防止タグの取り付け手順を説明する拡大正面断面図である。盗難防止タグを対象物に取り付ける場合には、ユーザが対象物の取り付け部位に挿通させたワイヤ２の一方の挿入ピン２ａを解除部材２１の挿入孔２１ｄに挿通することによって、この挿入ピン２ａの先端が係合爪２０ａ，２０ａを押し広げ、更に挿入ピン２ａを進行させることによって、係合爪２０ａ，２０ａと溝２ｂとを係合してロック状態となる。
【００２７】
また、他方の挿入ピン２ａを差込み孔１ｂから挿入し、案内部材２３の挿入孔２３ａに前記挿入ピン２ａを貫通させて、解除部材２１側と同様に係合爪２０ａ，２０ａに溝２ｂを係合しロック状態とすることによって、対象物への盗難防止タグの取り付けが完了する。
【００２８】
このような状態において、ワイヤ２は常閉接点として機能しており、ワイヤ２に接続された係合部材２０，２０の間の導通状態をＩＣ１１によって検出し、休止状態ではない盗難防止タグにおいて、ワイヤ２の挿入ピン２０ａがタグ本体１から抜き出されたとき、又はワイヤ２が切断されたときに、ブザーを動作させて警報音を発する。
【００２９】
また受信器１２が盗難防止信号を受信したとき、ＩＣ１１によってこれを検出し、ブザー１３を動作させて警報音を発する。
【００３０】
一方、受信器１２がリセット信号を受信したとき、ＩＣ１１はこれを検出し、タグ本体１を休止状態として、ワイヤ２の挿入ピン２ａがタグ本体１から抜き出された場合、ワイヤ２が切断された場合、又は受信器１２が盗難防止信号を受信した場合であっても、ブザー１３は動作せず、警報音が発せられない。
【００３１】
図８は、本発明に係る盗難防止タグの取り外し手順を説明する拡大正面断面図である。盗難防止タグを対象物から取り外す場合には、盗難防止タグの近傍で、発信器からリセット信号を発信させ、タグ本体１の受信器１２で前記リセット信号を受信させる。このようにしてタグ本体１を休止状態とした後に、解除部材２１の把持用突起２１ｃを解除部材２１の周方向の一方へコイルバネ２２の付勢に反して回転させ、切欠１ｅに把持用突起２１ｃを係合させて、筐体３の内側へ解除部材２１を移動させる。これによって、解除部材２１の先端は、係合爪２０ａ，２０ａに当接し、係合爪２０ａ，２０ａを外側へ押し広げて、係合爪２０ａ，２０ａと挿入ピン２ａの溝２ｂとの係合が解除される。そして、挿入ピン２ａが解除部材２１の挿入孔２１ｄから抜き出されることによって、盗難防止タグの対象物からの取り外しが達成される。
【００３２】
また、他方の挿入ピン２ａを抜き出す場合には、ピン状の部材を解除用孔１ｆに挿入し、このピン状の部材の先端で、案内部材２３を押動させる。これによって案内部材２３の先端が、係合爪２０ａ，２０ａに当接し、係合爪２０ａ，２０ａを外側へ押し広げて、係合爪２０ａ，２０ａと挿入ピン２ａの溝２ｂとの係合が解除される。そして、挿入ピン２ａが差込み孔１ｂから抜き出されることによって、差込み孔１ｂに挿入された挿入ピン２ａの抜き出しが完了する。
【００３３】
なお、本実施の形態では、進入制限機構３０を、筐体３の外側に突出する突出部１ｃに設けられた切欠１ｄ，１ｅと、解除部材２１に設けられた把持用突起２１ｃとを用いる構成としたが、進入制限機構３０の構成はこれに限らず、例えば筐体３の内側に、解除部材２１の周方向及び軸長方向夫々に平行となるように、中途で直角に屈曲するガイド溝を設け、解除部材２１の筐体３の内側の部分に、半径方向へ突出する突出部を設けて、該突出部が前記ガイド溝に係合するようにし、コイルバネ２２の付勢に反して解除部材２１を回転させたときにだけ、解除部材２１の軸長方向に平行なガイド溝と前記突出部とが係合して、解除部材２１の筐体３の内部への進入を可能とするような構成であってもよいことはいうまでもない。
【００３４】
以上の如き構成により、タグ本体１とワイヤ２の挿入ピン２ａとの係合を解除する場合には、解除部材２１をコイルバネ２２のバネ力に反して回転させ、解除部材２１の把持用突起２１ｃとタグ本体１の切欠１ｅとを係合させて、解除部材２１を筐体３の内部へ進入させる必要があり、容易にタグ本体１とワイヤ２の挿入ピン２ａとの係合が解除されず、客が誤って前記係合を解除することを防止することが可能となる。
【００３５】
なお、特許請求の範囲の項に図面との対照を便利にするために符号を記すが、該記入により本発明は添付図面の構造に限定されるものではない。
【００３６】
【発明の効果】
以上詳述した如く、第１発明に係る盗難防止タグによる場合は、解除部材が挿入ピンの挿入方向に対する周方向、即ち解除部材に開設された孔の周方向の第１位置にあるときに、解除部材が筐体の内部へ更に進入することを阻止するようにしてあり、解除部材を第２位置まで回転させたときに、解除部材が筐体の内部へ更に進入することを可能としてあることによって、解除部材が前記第２位置に位置するためには、ユーザが解除部材を前記付勢部材の付勢に反して回転させる必要があるので、解除部材を付勢部材の付勢に反して回転させながら、筐体の内部に押し込んだときにだけ、前記係合部と係合機構との係合を解除することができ、容易に係合部と係合機構との係合が解除されない。
【００３７】
第２発明に係る盗難防止タグによる場合は、解除部材が挿入ピンの挿入方向に対する周方向の所定位置に位置するときに、解除部材に設けられた突出片が、筐体の突出部の切欠に係合し、解除部材が筐体の内部へ更に進入することが可能としてあり、この他の位置に解除部材が位置するときに、前記突出片が前記突出部に当接して、解除部材が筐体の内部へ更に進入することを阻止するようにしてあるため、前記所定位置に解除部材が位置するときにだけ、解除部材を筐体の内部へ押し込んで、環状溝と係合爪との係合を解除することができるようになっており、また、付勢部材によって解除部材を前記周方向の一方に付勢してあることによって、解除部材が筐体の内部へ更に進入することが可能な所定位置に位置するためには、ユーザが解除部材を前記付勢部材の付勢に反して回転させる必要があるので、解除部材を付勢部材の付勢に反して回転させながら、筐体の内部に押し込んだときにだけ、環状溝と係合爪との係合を解除することができ、容易に環状溝と係合爪との係合が解除されない等本発明は優れた効果を奏する。
【図面の簡単な説明】
【図１】本発明に係る盗難防止タグの実施の形態の構成を示す外観斜視図である。
【図２】本発明に係る盗難防止タグの分解斜視図である。
【図３】本発明に係る盗難防止タグの拡大正面断面図である。
【図４】本発明に係る盗難防止タグの正面図である。
【図５】本発明に係る盗難防止タグの側面図である。
【図６】本発明に係る盗難防止タグの平面図である。
【図７】本発明に係る盗難防止タグの取り付け手順を説明する拡大正面断面図である。
【図８】本発明に係る盗難防止タグの取り外し手順を説明する拡大正面断面図である。
【図９】従来の盗難防止タグの使用状態を示す説明図である。
【図１０】従来の盗難防止タグの外観を示す斜視図である。
【符号の説明】
１  タグ本体
１ａ，１ｂ  差込み孔
１ｃ  突出部
１ｄ，１ｅ  切欠
２  ワイヤ
２ａ  挿入ピン
２ｂ  溝
３  筐体
３ａ  正面側部材
３ｂ  背面側部材
２０  係合部材
２０ａ  係合爪
２１  解除部材
２１ａ  段部
２１ｂ  係合突起
２１ｃ  把持用突起
２２  コイルバネ
２２ａ  突出部
２３  案内部材
２３ａ  挿入孔
３０  進入制限機構
【図１】
0004504535.tif 000002
【図２】
0004504535.tif 000003
【図３】
0004504535.tif 000004
【図４】
0004504535.tif 000005
【図５】
0004504535.tif 000006
【図６】
0004504535.tif 000007
【図７】
0004504535.tif 000008
【図８】
0004504535.tif 000009
【図９】
0004504535.tif 000010
【図１０】
0004504535.tif 000011